(57)【要約】 【課題】  コンタクトレンズの利用者の負担を減らしつつ、コンタクトレンズを安全、清潔に管理するためのコンタクトレンズの収納装置、及び管理システムを提供することにある。【解決手段】  コンタクトレンズ収納装置１００の利用者は、コンタクトレンズ１０１を挟持部１０２ａ、１０２ｂに挟み、蓋１０４を閉める。検知部１４は、蓋１０４が閉まっていて且つ挟持部１０２がコンタクトレンズ１０１を挟持していることを検知した場合、タイマー１３から現在の時刻を取得し、検知情報記憶部１６に時刻と検知した情報を記憶する。次に、検知部１４は、蓋が開き且つ挟持部１０２がコンタクトレンズ１０１を挟持していないことを検知した場合、タイマー１３から現在の時刻を取得し、検知情報記憶部１６に時刻と検知した情報を記憶する。表示部１５は、検知情報記憶部１６の情報をメンテナンス状態情報として表示する。【選択図】図１
2008055104.tif 000002
【特許請求の範囲】
【請求項１】
コンタクトレンズのメンテナンス状況を検知する検知部と、前記検知した情報を記憶する検知情報記憶部と、前記検知情報記憶部に記憶した情報を表示する表示部とを含むコンタクトレンズ収納装置。
【請求項２】
前記検知部は、コンタクトレンズを収納する蓋の開閉状況を検知することを特徴とする請求項１に記載のコンタクトレンズ収納装置。
【請求項３】
前記検知部は、コンタクトレンズを挟む挟持部がレンズを挟んでいるか否かを検知することを特徴とする請求項１に記載のコンタクトレンズ収納装置。
【請求項４】
前記検知部は、コンタクトレンズ収納部に浸されたレンズ保存液の量を検知することを特徴とする請求項１に記載のコンタクトレンズ収納装置。
【請求項５】
前記検知部は、コンタクトレンズ収納部に浸されたレンズ保存液の温度を検知することを特徴とする請求項１に記載のコンタクトレンズ収納装置。
【請求項６】
コンタクトレンズのメンテナンス状況を検知する検知部と、前記検知した情報を記憶する検知情報記憶部と、コンタクトレンズのメンテナンスに関し助言する情報を記憶するメンテナンスアドバイス部と、前記検知情報記憶部に記憶した情報に基づき、前記メンテナンスアドバイス部の情報を表示する表示部とを含むコンタクトレンズ収納装置。
【請求項７】
コンタクトレンズのメンテナンス状況を検知する検知部と、前記検知した情報を外部へ送信する第１の通信部とを含むコンタクトレンズ収納装置と、
前記第１の通信部から送信される情報を受信する第２の通信部と、前記第２の通信部が受信した情報を記憶する検知情報記憶部と、利用者の受診情報を記憶する受診記憶部と、前記検知情報記憶部に記憶した情報と前記受診記憶部に記憶した情報を表示する表示部とを含む診断サーバとを含むコンタクトレンズ管理システム。
【請求項８】
コンタクトレンズのメンテナンス状況を検知する検知部と、前記検知した情報を外部へ送信し、外部から送信された情報を受信する第１の通信部と、前記第１の通信部から受信したデータを表示する表示部とを含むコンタクトレンズ収納装置と、
前記第１の通信部から送信される情報を受信し、コンタクトレンズのメンテナンスに関する助言情報を前記第１の通信部へ送信する第２の通信部と、前記第２の通信部が受信した情報を記憶する検知情報記憶部と、前記検知情報記憶部に記憶した情報を表示する表示部とを含む診断サーバとを含むコンタクトレンズ管理システム。
【請求項９】
請求項８に係るコンタクトレンズ管理システムにおいて、前記コンタクトレンズ管理システムは、さらに時刻管理を行う時刻サーバを含み、前記第１の通信部はメンテナンス状況の時刻に関する情報を前記時刻サーバから受信し、前記検知部は、前期検知した情報に加え、前記時刻に関する情報を外部へ送信することを特徴とするコンタクトレンズ管理システム。
【請求項１０】
請求項８に係るコンタクトレンズ管理システムにおいて、前記コンタクトレンズ収納装置は、前記診断サーバから送信される情報を前記第１の通信部で受信したとき、コンタクトレンズの洗浄を自動的に開始することを特徴とするコンタクトレンズ管理システム。
【請求項１１】
コンタクトレンズのメンテナンス状況を検知する検知部と、前記検知した情報を外部へ送信する第１の通信部とを含むコンタクトレンズ収納装置と、
前記第１の通信部から送信される情報を受信し、コンタクトレンズのメンテナンスに関する助言情報を第３の通信部へ送信する第２の通信部と、前記第２の通信部が受信した情報を記憶する検知情報記憶部と、前記検知情報記憶部に記憶した情報を表示する第１の表示部とを含む診断サーバと、
前記第２の通信部から送信される情報を受信する前記第３の通信部と、前記第３の通信部が受信した情報を表示する第２の表示部とを含む通信端末とを含むコンタクトレンズ管理システム。
【請求項１２】
メンテナンス状況を検知した情報を受信し、コンタクトレンズに関する助言情報を通信端末に送信する通信部と、前記通信部が受信した情報を記憶する検知情報記憶部と、コンタクトレンズの利用者の受診情報を記憶する受診記憶部と、前記検知情報記憶部に記憶した情報と前記受診記憶部に記憶した情報を表示する表示部とを含む診断サーバ。
【請求項１３】
コンタクトレンズ収納装置と診断サーバとを含むコンタクトレンズ管理システムによるコンタクトレンズメンテナンス方法において、前記コンタクトレンズ収納装置は、コンタクトレンズのメンテナンス状況を検知し、前記検知した情報を前記診断サーバに送信し、前記診断サーバは、前記コンタクトレンズ収納装置から送信された情報を受信した情報を検知情報記憶部に記憶し、前記記憶した情報を表示部に表示することを特徴とするコンタクトレンズメンテナンス方法。
【発明の詳細な説明】
【技術分野】
【０００１】
本発明は、コンタクトレンズの収納装置、及び管理システムに関するものである。
【背景技術】
【０００２】
コンタクトレンズの利用に際しては、レンズの種類により、定期的に洗浄や交換、眼科の受診等の管理が必要である。このような管理は、コンタクトレンズを清潔、安全に使用するため、厳密さが求められる一方、利用者にとって大きな負担となっている。コンタクトレンズの管理を効率的に行う技術としては、計時機能を有することにより、コンタクトレンズを洗浄すべき周期や、交換時期を利用者に通知するコンタクトレンズケースが、例えば、特許文献１に開示されている。
【０００３】
また、使用者データ、レンズ固有データ、コンタクトレンズ販売データ等の情報を備えたＩＣチップをコンタクトレンズに埋め込み、電磁波により情報のリード／ライトを行うコンタクトレンズのデータ管理システムが、例えば、特許文献２に開示されている。
【０００４】
【特許文献１】特開２００３−０３８２２９号公報
【特許文献２】特開２００３−１９５２３０号公報
【発明の開示】
【発明が解決しようとする課題】
【０００５】
しかしながら、特許文献１および２に記載された技術において、コンタクトレンズの管理は利用者に任せられており、利用者の負担が大きく、洗浄等の作業を忘れてしまう恐れがある。さらに、作業を忘れてしまった際に、第三者がそのことを確認する術がなく、適切なアドバイスを行うことができないという問題があった。
【０００６】
そこで、本発明の目的は、コンタクトレンズの利用者の負担を減らしつつ、コンタクトレンズを安全、清潔に管理するためのコンタクトレンズの収納装置、コンタクトレンズ管理システム、及びメンテナンス方法を提供することにある。
【課題を解決するための手段】
【０００７】
上記問題を解決するため本発明に係るコンタクトレンズ収納装置は、コンタクトレンズのメンテナンス状況を検知する検知部と、検知した情報を記憶する検知情報記憶部と、検知情報記憶部に記憶した情報を表示する表示部を含む。
【０００８】
本発明に係るコンタクトレンズ収納装置において、前記検知部はコンタクトレンズを収納する蓋の開閉状況を検知してもよい。  
本発明に係るコンタクトレンズ収納装置において、前記検知部はコンタクトレンズを挟む挟持部がレンズを挟んでいるか否かを検知してもよい。  
本発明に係るコンタクトレンズ収納装置において、前記検知部はコンタクトレンズ収納部に浸されたレンズ保存液の量を検知してもよい。
【０００９】
本発明に係るコンタクトレンズ収納装置において、前記検知部はコンタクトレンズ収納部に浸されたレンズ保存液の温度を検知してもよい。
【００１０】
本発明に係るコンタクトレンズ収納装置は、コンタクトレンズのメンテナンス状況を検知する検知部と、検知した情報を記憶する検知情報記憶部と、コンタクトレンズのメンテナンスに関し助言する情報を記憶するメンテナンスアドバイス部と、検知情報記憶部に記憶した情報に基づき、メンテナンスアドバイス部の情報を表示する表示部を含む。
【００１１】
本発明に係るコンタクトレンズ管理システムにおいて、コンタクトレンズ収納装置は、コンタクトレンズのメンテナンス状況を検知する検知部と、検知した情報をコンタクトレンズ収納装置の外部へ送信する第1の通信部とを含み、診断サーバは、第１の通信部から送信される情報を受信する第２の通信部と、第２の通信部が受信した情報を記憶する検知情報記憶部と、利用者の受診情報を記憶する受診記憶部と、検知情報記憶部に記憶した情報と受診記憶部に記憶した情報を表示する表示部を含む。
【００１２】
本発明に係るコンタクトレンズ管理システムにおいて、コンタクトレンズ収納装置は、コンタクトレンズのメンテナンス状況の情報を検知する検知部と、検知した情報をコンタクトレンズ収納装置の外部へ送信し、コンタクトレンズ収納装置の外部から送信された情報を受信する第１の通信部と、第１の通信部から受信したデータを表示する表示部とを含み、診断サーバは、第１の通信部から送信される情報を受信し、コンタクトレンズのメンテナンスに関する助言情報を送信する第２の通信部と、第２の通信部が受信した情報を記憶する検知情報記憶部と、検知情報記憶部に記憶した情報を表示する表示部を含む。
【００１３】
本発明に係るコンタクトレンズ管理システムにおいて、コンタクトレンズ管理システムは、さらに時刻管理を行う時刻サーバを含み、第１の通信部はメンテナンス状況の時刻に関する情報を時刻サーバから受信し、検知部は、前期検知した情報に加え、前記時刻に関する情報を外部へ送信する。
【００１４】
本発明に係るコンタクトレンズ管理システムにおいて、コンタクトレンズ収納装置は、診断サーバから送信される情報を第１の通信部で受信したとき、コンタクトレンズの洗浄を自動的に開始する。
【００１５】
本発明に係るコンタクトレンズ管理システムにおいて、コンタクトレンズ収納装置は、コンタクトレンズのメンテナンス状況を検知する検知部と、検知した情報をコンタクトレンズ収納装置の外部へ送信する第１の通信部を含み、診断サーバは、第１の通信部から送信される情報を受信し、コンタクトレンズのメンテナンスに関する助言情報を第３の通信部へ送信する第２の通信部と、第２の通信部が受信した情報を記憶する検知情報記憶部と、検知情報記憶部に記憶した情報を表示する第１の表示部とを含み、通信端末は、第２の通信部から送信される情報を受信する第３の通信部と、第３の通信部が受信した情報を表示する第２の表示部を含む。
【発明の効果】
【００１６】
この発明によれば、コンタクトレンズの管理を適切に行い、利用者が安全にコンタクトレンズを利用することができる。その理由は、コンタクトレンズのメンテナンス状況を検知する検知部が検知した情報に基づき、メンテナンス状況、あるいは適切なメンテナンスの助言に関する情報を、コンタクトレンズ収納装置の表示部又は診断サーバの表示部又は通信端末の表示部に表示するためである。
【発明を実施するための最良の形態】
【００１７】
次に本発明の実施するための最良の形態について、図面を参照して詳細に説明する。
【００１８】
図１は、本発明の第１の実施の形態におけるコンタクトレンズ収納装置の構成を示すブロック図である。コンタクトレンズ収納装置１００は、コンタクトレンズを収納する装置である。装置の利用者は、コンタクトレンズを使用するとき、コンタクトレンズ収納装置１００からコンタクトレンズを取り出して着用し、使用後は洗浄等のメンテナンスのため、コンタクトレンズ収納装置に収納する。操作部１１は、ボタン等の入力装置であり、利用者がコンタクトレンズ収納装置１００を操作する際に用いる。収納部１２は、コンタクトレンズを収納する。通常コンタクトレンズは二枚同時に利用するため、収納部はコンタクトレンズ収納装置に二以上あってもよい。タイマー１３は日付や時刻を計測する。タイマー１３は、コンタクトレンズ収納装置の他の部の要求に応じて、日付や時刻を提供し、また、経過した時間をカウントする。検知部１４は、コンタクトレンズのメンテナンス状況を検知する。また、検知部１４は、検知した情報を検知情報記憶部１６に記憶するだけでなく、図１の各部の全体を制御する制御回路として機能する。表示部１５は、液晶等で構成された、視認可能な画面である。表示部１５は、検知情報記憶部１６に記憶した情報を表示する。表示部１５は、検知情報記憶部１６の情報を常時表示してもよいし、操作部１１の操作によって検知情報記憶部１６の情報を表示してもよい。検知情報記憶部１６は、検知部１４が検知した情報を記憶する。検知情報記憶部が記憶する情報は、検知部１４が検知する内容によって異なる。
【００１９】
図２は、図１の収納部１２及び検知部１４の一例である。同種の部位には同一の番号を付している。収納部１２は、コンタクトレンズを保存、洗浄するための保存液で満たすことができる。また、収納部１２は、収納ケース１２ａと、挟持部１０２ａ、１０２ｂと、レンズ台１０３と、蓋１０４を含む。挟持部１０２ａ、１０２ｂは、コンタクトレンズ１０１を挟持する。図２においては、挟持部１０２ａ、１０２ｂはコンタクトレンズ１０１の表面と裏面を挟持しているが、コンタクトレンズ１０１を収納部１２の高さ方向に９０度回転し、挟持部１０２ａ、１０２ｂがコンタクトレンズ１０１の縁を挟持する構成にしてもよい。挟持部１０２ａ、１０２ｂは、コンタクトレンズの有無により開閉するため、レンズ台１０３に検知部１４ａ、１４ｂを備え、挟持部１０２ａ、１０２ｂとの間で電気的に接触、非接触する回路を構成することにより、レンズの有無を検知できる。また、同様の構成を収納ケース１２ａと蓋１０４の間に備えることにより、蓋の開閉を検知することもできる。さらに、検知部１４が検知する情報は、収納部１２の蓋の開閉やレンズの収納の有無に限られるものではなく、収納部１２にリードスイッチや圧電センサ、サーミスタ等を備え、収納部１２に満たされる保存液の量を検知したり、保存液の温度を検知したりしてもよい。挟持部支点軸１０５ａ、１０５ｂは、それぞれ挟持部１０２ａ、１０２ｂが開閉する際の支点となる軸である。
【００２０】
次に、図３のフローチャートを参照し、本実施の形態の全体の動作について、詳細に説明する。まず、コンタクトレンズ収納装置１００の利用者は、コンタクトレンズのメンテナンスを行うため、収納ケース１２ａを保存液で満たし、コンタクトレンズ１０１を挟持部１０２ａ、１０２ｂに挟み、蓋１０４を閉める。検知部１４は、収納部１２の蓋１０４が開いているか閉じているか、挟持部１２がコンタクトレンズ１０１を挟持しているかどうかを検知する。検知部１４は、蓋１０４が閉まっていて且つ挟持部１０２がコンタクトレンズ１０１を挟持していることを検知した場合（ステップＳ０１）、検知部１４はコンタクトレンズ１０１のメンテナンスが開始されたと判断し、タイマー１３から現在の時刻を取得し、検知情報記憶部１６に時刻と検知した情報を記憶する（ステップＳ０２）。次に、検知部１４は、蓋が開き且つ挟持部１０２がコンタクトレンズ１０１を挟持していないことを検知した場合（ステップＳ０３）、検知部１４はコンタクトレンズ１０１が取り出されたと判断し、タイマー１３から現在の時刻を取得し、検知情報記憶部１６に時刻と検知した情報を記憶する。次に、表示部１５は、検知情報記憶部１６の情報をメンテナンス状態情報として表示する。尚、表示部１５は、検知情報記憶部１６の情報を常時表示してもよいし、操作部１１の操作によって検知情報記憶部１６の情報を表示してもよい。
【実施例１】
【００２１】
次に図１乃至図５を用いて、具体的な実施例を説明する。まず、図１、図２（ａ）において、コンタクトレンズ収納装置１００の利用者は、収納ケース１２ａを保存液で満たし、コンタクトレンズ１０１を挟持部１０２ａ、１０２ｂに挟み、蓋１０４を閉める（図２（ａ）に示す状態）。検知部１４は蓋１０４が閉まり、且つ挟持部１０２ａ、１０２ｂがコンタクトレンズ１０１を挟持したことを検知（図３に示すステップＳ０１）する。検知部１４はコンタクトレンズのメンテナンスが開始されたと判断し、現在の時刻と、メンテナンスの状況を検知情報記憶部１６に記憶する（図３に示すステップＳ０２）。ここでは、図４に示す情報（年月日、時刻、メンテナンス開始を示す情報からなる）を格納したものとする。その後、利用者がコンタクトレンズを着用するため蓋１０４を開け、挟持部１０２からコンタクトレンズ１０１を取り出すと（図２（ｂ）に示す状態）、検知部１４はレンズが取り出されたことを検知し（図３に示すステップＳ０３）、現在の時刻と、メンテナンスの状況を検知情報記憶部１６に記憶する（図３に示すステップＳ０４）。ここでは、図５に示す情報（年月日、時刻、レンズ取り出しを示す情報からなる）を新たに記憶したものとする。表示部１５は、検知情報記憶部１６の情報をメンテナンス状況情報として表示する（図３に示すステップＳ０５）。
【００２２】
これにより、利用者は特別な操作をせずとも、コンタクトレンズのメンテナンス状況について、容易に確認することができる。
【実施例２】
【００２３】
図２において、実施例１では、検知部１４は、蓋１０４が閉まっていて且つコンタクトレンズ１０１が収納されているとき、及び蓋が開き且つコンタクトレンズ１０１が収納されていないことを検知したときに、検知情報記憶部１６に情報を記憶していたが、検知部１４は、タイマー１３を用いて、メンテナンスの開始時から一定時間経過毎にメンテナンス状況を検知し、検知情報記憶部１６に記憶してもよい。また、検知部１４は、収納部１２内の保存液の温度や量を計測してもよい。このときの全体の動作を、図６のフローチャートに示す。
【００２４】
図１、図２、図６、図７を用いて、具体的な実施例を説明する。まず、図１、図２（ａ）において、コンタクトレンズ収納装置１００の利用者は、コンタクトレンズ１０１を挟持部１０２ａ、１０２ｂに挟み、蓋１０４を閉める。検知部１４は蓋１０４が閉まり、且つ挟持部１０２ａ、１０２ｂがコンタクトレンズ１０１を挟持したことを検知（図６に示すステップＳ１１）する。検知部１４はコンタクトレンズのメンテナンスが開始されたと判断し、現在の時刻と、収納部を満たす保存液の液温と液量を含むメンテナンスの状況を検知し、情報記憶部１６に記憶する（図６に示すステップＳ１２）。ここでは、図７の１行目に示す情報（年月日、時刻、メンテナンス開始を示す情報、液温、液量からなる）を記憶したものとする。その後、検知部１４が、コンタクトレンズ１０１のメンテナンスの開始時から３０分おきに、現在の時刻と、メンテナンス状況を検知し（図６に示すステップＳ１３）、検知情報記憶部１６に記憶する（図６に示すステップＳ１４）。ここでは、図７の２−４行目に示す情報（年月日、時刻、メンテナンス中を示す情報、液温、液量からなる）を記憶したものとする。メンテナンス開始から２時間でメンテナンスを終了したとすると、検知部１４はメンテナンスが終了したことを検知し、検知情報記憶部１６に記憶する。ここでは、図７の５行目に示す情報（年月日、時刻、メンテナンスの終了を示す情報、液温、液量）を記憶したものとする。
【００２５】
その後、利用者がコンタクトレンズを着用するため蓋１０４を開け、挟持部１０２からコンタクトレンズ１０１を取り出すと、検知部１４はレンズを取り出したことを検知し（図６に示すステップＳ１５）、検知情報記憶部１６に情報を記憶する（ステップＳ１６）。ここでは、図７の６行目に示す情報（年月日、時刻、レンズ取り出しを示す情報、液温、液量からなる）を記憶したものとする。表示部１５は、検知情報記憶部１６の情報をメンテナンス状況情報として表示する（図６に示すステップＳ１７）。
【００２６】
実施例２により、利用者は特別な操作をせずとも、コンタクトレンズのメンテナンス状況について、より詳細に確認することができる。
【実施例３】
【００２７】
図８は、本発明による第３の実施例におけるコンタクトレンズ収納装置１１０の構成を示すブロック図である。図１と同名の部分は説明を省略する。実施例１および実施例２では、表示部１５は、検知情報記憶部１６の情報を表示していたが、実施例３では、コンタクトレンズ収納装置１１０に、メンテナンスに関し助言する情報（助言情報）を記憶するメンテナンスアドバイス部１７を備えている。メンテナンスアドバイス部１７は、検知情報記憶部１６に記憶した情報に基づき、利用者に対する、利用方法についての助言情報を表示部１５に表示する。例えば、メンテナンスアドバイス部１７は、メンテナンスが終了したときや、所定の時刻になったときに、検知情報記憶部１６の情報を読み取り、メンテナンスを行う時間は十分か、保存液の量及び温度は適切か等を判断し、メンテナンス時間を十分に取るべきであることや、保存液が劣化しているので交換すべきであること示す助言情報を生成し、表示部１５に出力する。これにより、表示部１５は、助言情報を表示する。
【００２８】
実施例３により、利用者は特別な操作をせずとも、コンタクトレンズのメンテナンス状況について、適切な対応を知ることができる。
【実施例４】
【００２９】
図９は、本発明による第４の実施例におけるコンタクトレンズ管理システムの構成を示すブロック図である。図８と同名かつ同番号の部分は説明を省略する。実施例１乃至３では、コンタクトレンズ収納装置１００、１１０に表示部１５を備え、検知情報記憶部１６の情報を表示していたが、実施例４における、コンタクトレンズ収納装置１２０は、診断サーバ２００にネットワーク３００を介して接続する。また、診断サーバ２００は、利用者が医療機関等でコンタクトレンズの利用に関して受診した際の、受診情報を記憶する受診記憶部２９を備えている。コンタクトレンズ収納装置１２０内の通信部１８は、コンタクトレンズ収納装置１２０の外部の、有線又は無線のネットワーク３００へ、検知部１４が検知した情報をメンテナンス状況情報として送信する。また、通信部１８は、診断サーバ２００が送信する情報を受信する。診断サーバ２００は、コンタクトレンズ収納装置１２０から取得した情報や、利用者が医療機関等でコンタクトレンズの利用に関して受診した情報等をサーバ内に記憶し、その情報等に基づき、コンタクトレンズのメンテナンス状況を診断する際に利用するサーバである。操作部２１は、ボタン等の入力装置であり、医師等の診断サーバの利用者が、診断サーバ２００の操作する際に用いる。操作部２１は、診断サーバの利用者が、検知情報記憶部２６及び受診記憶部２９に記憶した情報を元に、コンタクトレンズ収納装置１２０の利用者に対し、メンテナンスに関する助言をするとき、メンテナンスに関し助言する情報を入力する。表示部２５は、液晶等で構成された、視認可能な画面である。表示部２５は、検知情報記憶部２６に記憶した情報と、受診記憶部２９に記憶した情報を表示する。検知情報記憶部２６は、通信部２８が受信した検知情報（メンテナンス状況情報）を記憶する。検知情報記憶部２６は、実施例１乃至３の検知情報記憶部１６の機能を診断サーバ２００に備えたものである。メンテナンスアドバイス部２７は、メンテナンスに関し助言する情報（助言情報）を記憶する。メンテナンスアドバイス部２７は、検知情報記憶部２６に記憶した情報や、受診記憶部２９に記憶した情報に基づき、利用者に対する、利用方法についての助言情報を、表示部２５に表示したり、通信部２８から診断サーバ２００の外部に送信したりする。通信部２８は、診断サーバ２００の外部と、有線又は無線のネットワーク３００を介して通信を行い、コンタクトレンズ収納装置１２０から送信される検知情報を取得する。また、診断サーバ２００から、検知情報記憶部２６に記憶したメンテナンス状況情報、受診記憶部２９に記憶した受診情報、及びメンテナンスに関する助言情報を診断サーバの外部へ送信する。受診記憶部２９はコンタクトレンズ収納装置１２０の利用者が医療機関等で眼の診断を受けた際の、受診情報を記憶する。ネットワーク３００は、コンタクトレンズ１２０及び診断サーバ２００の外部にある、有線または無線のネットワークを表す。コンタクトレンズ収納装置１２０の検知部１４が検知した情報は、通信部１８、ネットワーク３００、通信部２８を経て、診断サーバ２００の検知情報記憶部２６にメンテナンス状況情報として記憶される。表示部２５は、検知情報記憶部２６に記憶した情報と、受診記憶部２９に記憶した受診情報を表示する。
【００３０】
この構成により、コンタクトレンズ収納装置１２０の利用者は、コンタクトレンズ収納装置１２０から物理的に離れた診断サーバ２００のある場所で、コンタクトレンズ収納装置１２０のメンテナンス状況を知ることができる。
【００３１】
さらに、コンタクトレンズ収納装置１２０の利用者が、医療機関等で眼の診断を受けた際に、医師等の診断サーバの利用者は操作部２１を操作して、受診情報を受診記憶部２９に記憶することができる。これにより、診断サーバの利用者は、コンタクトレンズ収納装置１２０の利用者のメンテナンス状況情報と、受診情報を表示部２５で確認できるため、適切なアドバイスをすることができる。また、コンタクトレンズ収納装置１２０の利用者が医療機関等で直接アドバイスを受けることができない場合であっても、コンタクトレンズ収納装置１２０を操作し、診断サーバ２００から、検知情報記憶部２６の検知情報や、受信記憶部２９の受診情報や、診断サーバの利用者が入力したメンテナンスに関する助言情報や、メンテナンスアドバイス部２７に記憶した助言情報を、ネットワーク３００を介して、コンタクトレンズ収納装置１２０の表示部１５に表示することができる。これにより、医師等の診断サーバ２００の利用者は、コンタクトレンズ収納装置１２０の利用者に、適切なアドバイスをすることができる。
【００３２】
実施例４により、利用者は特別な操作をせずとも、診断サーバから、コンタクトレンズの利用について、適切なアドバイスを受けることができる。
【実施例５】
【００３３】
図１０は、本発明による第４の実施例におけるコンタクトレンズ管理システムの構成を示すブロック図である。図９と同名かつ同番号の部分は説明を省略する。実施例４では、コンタクトレンズ管理システムは、メンテナンス状況や受診情報、メンテナンスに関する助言情報をコンタクトレンズ収納装置１２０の表示部１５若しくは診断サーバ２００の表示部２５に表示していたが、実施例５では、通信端末４００を備え、通信端末４００の表示部４５に表示する。通信端末４００は通信機能を備えた端末であり、携帯電話や、ＰＨＳ、ページャや、通信機能を有するＰＤＡ、携帯ゲーム機、携帯音楽プレーヤなど、利用者が日頃携帯する様々な携帯通信端末である。表示部４５は、液晶等で構成された、視認可能な画面である。通信部４８は、通信端末４００の外部と、有線又は無線のネットワーク３００を介して通信を行い、診断サーバ２００が送信する情報を取得し、表示部４５に表示する。
【００３４】
通信端末４００の利用者は、診断サーバ２００からメンテナンス状況や受診情報、メンテナンスに関する助言情報を受信すると、表示部４５に表示する。また、通信端末４００の図示しない操作部を操作することにより、任意のタイミングで診断サーバと通信を行い、メンテナンス状況や受診情報、メンテナンスに関する助言情報を取得してもよい。尚、図１０のコンタクトレンズ管理システムにおいて、コンタクトレンズ収納装置１２０と診断サーバ２００と通信端末４００は、同一のネットワーク３００を利用しているが、コンタクトレンズ収納装置１２０及び診断サーバ２００が利用するネットワークと、診断サーバ２００及び通信端末４００が利用するネットワークを、異なる通信方式のネットワークで構成してもよい。
【００３５】
実施例５により、診断サーバ２００を医療機関に設置し、通信端末４００をコンタクトレンズ収納装置１２０の利用者が携帯することで、利用者は特別な操作をせずに、遠隔地であっても、コンタクトレンズの利用状況について、確実にアドバイスを受けることが可能となる。また、コンタクトレンズ収納装置１２０の利用者は、装置の前で利用状況を確認する必要が無くなるため、外出時においてもコンタクトレンズ収納装置１２０を利用しやすくなる。
【実施例６】
【００３６】
実施例１乃至５では、コンタクトレンズ収納装置１００、１１０、１２０は、タイマー１３を用いて日付や時刻を計測しているが、レンズ交換時期や次回の検診受診時期など、長期間の時間積算が必要な場合は時刻のずれが大きくなる可能性がある。そこで、図９、図１０の、通信部１８を含むコンタクトレンズ収納装置１２０において、検知部１４はタイマー１３から日付等を取得する代わりに、ネットワーク上に存在する、高精度の時間管理を行う時刻サーバ（図示せず）から日付等を取得するようにしてもよい。
【００３７】
実施例６により、コンタクトレンズ収納装置１００、１１０、１２０は、高精度の時間管理を実現することができる。
【実施例７】
【００３８】
本発明の他の実施例として、図９、図１０に示すコンタクトレンズ管理システムにおいて、コンタクトレンズ収納装置１２０は、自動レンズ洗浄機能を備えてもよい。診断サーバ２００のメンテナンスアドバイス部２７は、検知情報記憶部２６、受診記憶部２９の情報に基づき、レンズを洗浄すべき日時を超過したと判断すると、レンズ洗浄が必要であることを助言情報としてコンタクトレンズ収納装置１２０に送信する。コンタクトレンズ収納装置１２０は、診断サーバ２００からの助言情報を受信すると、自動的にレンズの開始することができる。洗浄終了後は自動的にレンズの洗浄が完了したことを診断サーバ２００へ通知してもよい。
【００３９】
実施例７により、コンタクトレンズ収納装置１２０の利用者は、レンズ洗浄忘れを防止でき、レンズのメンテナンスの手間を軽減することができる。
【実施例８】
【００４０】
本発明の他の実施例として、図１０に示すコンタクトレンズ管理システムにおいて、受診記憶部２９に次回定期健康診断受診すべき日時を記憶しておき、現在日時が超過した場合、定期健康診断の受診勧告を通信端末４００へ通知する構成としてもよい。利用者が定期健康診断を受診すると、診断サーバ２００は、次回の定期健康診断の受診が必要な時期が、受信機億部２９に記憶する。また、定期健康診断の受診勧告を利用者の通信端末４００へ通知する場合、メール文中に図示しない医療機関の診療予約システムへのリンクを含めておけば、利用者はその場で診察予約することができる。
【００４１】
実施例８により、コンタクトレンズの利用者は、健康診断を円滑に受診することが可能となる。
【図面の簡単な説明】
【００４２】
【図１】本発明の実施の形態に係るコンタクトレンズ収納装置のブロック図である。
【図２】本発明の実施の形態に係るコンタクトレンズ収納装置において、収納部と検知部を例示した図であり、（ａ）はレンズが挟持された状態を示す断面図、（ｂ）はレンズがない状態を示す断面図である。
【図３】本発明の実施の形態に係るコンタクトレンズ収納装置において、検知部と表示部の動作を示すフロー図である。
【図４】本発明の実施の形態に係るコンタクトレンズ収納装置において、メンテナンスを開始した後の検知情報記憶部に記憶する情報を例示した図である。
【図５】本発明の実施の形態に係るコンタクトレンズ収納装置において、コンタクトレンズを取り出した後の検知情報記憶部に記憶する情報を例示した図である。
【図６】本発明の実施例２に係るコンタクトレンズ収納装置において、検知部と表示部の動作を示すフロー図である。
【図７】本発明の実施例２に係るコンタクトレンズ収納装置において、コンタクトレンズを取り出した後の検知情報記憶部に記憶する情報を例示した図である。
【図８】本発明の実施例３に係るコンタクトレンズ収納装置を示すブロック図である。
【図９】本発明の実施例４に係るコンタクトレンズ管理システムを示すブロック図である。
【図１０】本発明の実施例５に係るコンタクトレンズ管理システムを示すブロック図である。
【符号の説明】
【００４３】
１００、１１０、１２０  コンタクトレンズ収納装置
１０１  コンタクトレンズ
１０２  挟持部
１０３  レンズ台
１０４  蓋
１０５  挟持部支点軸
１１  操作部
１２  収納部
１２ａ  収納ケース
１３  タイマー
１４  検知部
１５  表示部
１６  検知情報記憶部
１７  メンテナンスアドバイス部
１８  通信部
２００  診断サーバ
２１  操作部
２５  表示部
２６  検知情報記憶部
２７  メンテナンスアドバイス部
２８  通信部
２９  受診記憶部
３００  ネットワーク
４００  通信端末
４５  表示部
４８  通信部
【図１】
2008055104.tif 000003
【図２】
2008055104.tif 000004
【図３】
2008055104.tif 000005
【図４】
2008055104.tif 000006
【図５】
2008055104.tif 000007
【図６】
2008055104.tif 000008
【図７】
2008055104.tif 000009
【図８】
2008055104.tif 000010
【図９】
2008055104.tif 000011
【図１０】
2008055104.tif 000012